(57)【要約】【課題】クロストークを低減して表示品位を向上させることのできる電気光学装置を提供することを課題とする。【解決手段】電気光学装置は、２画面表示又は立体画像表示を行うことのできる視差バリア方式の画像表示装置であり、表示パネルと、視差バリアと、制御部とを備える。表示パネルは、複数のデータ線、複数の走査線、複数のデータ線と複数の走査線の交点に設けられた画素電極、を有する。制御部は、所定の画素電極に印加される電位に対し、隣接する画素電極に印加される電位よりも所定量以上小さければ、所定の電圧を加算して補正し、隣接する画素電極に印加される電位よりも所定量以上大きければ、所定の電圧を減算して補正する。このようにすることで、電気光学装置は、一方の画像に対する他方の画像を表示することによるクロストークの影響を低減することができる。【選択図】図８
2007316460.tif 000002
【特許請求の範囲】
【請求項１】
複数のデータ線、複数の走査線、前記複数のデータ線と前記複数の走査線の交点に設けられた画素電極、を有する表示パネルと、
前記表示パネルの面上に配置され、互いに隣接する前記画素電極の間に対応してスリットが配置されている視差バリアと、
前記複数のデータ線に供給するデータ信号及び前記複数の走査線に供給する走査信号を夫々制御することにより前記画素電極に印加される電位の大きさを制御して画像を表示する制御部と、を備え、
前記制御部は、画像を表示する際、所定の画素電極に印加される電位が、前記所定の画素電極に前記走査線に沿って隣接する画素電極に印加される電位よりも所定量以上小さくなると判定した場合には、前記所定の画素電極に印加される電位に対し、所定の電圧を予め加算する補正を行い、前記所定の画素電極に印加される電位が、前記隣接する画素電極に印加される電位よりも所定量以上大きくなると判定した場合には、前記所定の画素電極に印加される電位に対し、所定の電圧を予め減算する補正を行うことを特徴とする電気光学装置。
【請求項２】
前記所定の電圧は、常に一定の電圧であることを特徴とする請求項１に記載の電気光学装置。
【請求項３】
請求項１乃至２のいずれか一項に記載の電気光学装置を表示部に備えることを特徴とする電子機器。
【請求項４】
複数のデータ線、複数の走査線、前記複数のデータ線と前記複数の走査線の交点に設けられた画素電極、を有する表示パネルと、
前記表示パネルの面上に配置され、互いに隣接する前記画素電極の間に対応してスリットが配置されている視差バリアと、
前記複数のデータ線に供給するデータ信号及び前記複数の走査線に供給する走査信号を夫々制御することにより前記画素電極に印加される電位の大きさを制御して画像を表示する制御部と、を備えた電気光学装置の駆動方法であって、
前記制御部は、画像を表示する際、所定の画素電極に印加される電位が、前記所定の画素電極に前記走査線に沿って隣接する画素電極に印加される電位よりも所定量以上小さくなると判定した場合には、前記所定の画素電極に印加される電位に対し、所定の電圧を予め加算する補正を行い、前記所定の画素電極に印加される電位が、前記隣接する画素電極に印加される電位よりも所定量以上大きくなると判定した場合には、前記所定の画素電極に印加される電位に対し、所定の電圧を予め減算する補正を行うことを特徴とする電気光学装置の駆動方法。
【発明の詳細な説明】
【技術分野】
【０００１】
本発明は、各種情報の表示に用いて好適な電気光学装置及び電子機器に関する。
【背景技術】
【０００２】
電気光学装置の例として、異なる観察位置に位置する観察者に異なる画像を提示する２画面表示装置や３次元の立体画像を表示する立体画像表示装置が知られている。このような表示装置の１つの方式として、視差バリア（パララックスバリア）方式の画像表示装置がある。この画像表示装置は、例えば液晶表示パネルと、当該液晶表示パネルの表示面の観察者側に備えられた視差バリアを備える。視差バリアの所定の位置には、開口部がストライプ状に形成されている。例えば、観察位置の異なる観察者に対し夫々、異なる画像を提供する場合には、一方の観察者に一方の画像のみが入射すると共に、他方の観察者には他方の画像のみが入射するように、視差バリアの開口部が形成されている。また、観察者に３次元の立体画像を提供する場合には、観察者の左目に左目用の画像が入射するとともに、観察者の右目に右目用の画像が入射するように、視差バリアの開口部が形成されている。
【０００３】
しかしながら、上記の視差バリア方式の画像表示装置に悪影響を与える問題として、クロストークの発生がある。クロストークとは、様々な要因により、一方の画像に他方の画像の光が漏れることである。例えば、観察位置の異なる観察者に対し夫々、異なる画像を提供する場合においては、クロストークが発生することにより、一方の観察者に対し、一方の画像のみが入射するのではなく、他方の画像の一部も入射してしまう。また、観察者に３次元の立体画像を提供する場合には、クロストークが発生することにより、観察者の左目には、左目用の画像のみが入射するのではなく、右目用の画像の一部も入射し、一方、観察者の右目には、右目用の画像のみが入射するのではなく、左目用の画像の一部も入射してしまう。
【０００４】
なお、特許文献１には、１ピクセルごとの入力されるＲＧＢの色ベクトルについて、ディスプレイの実験的測定によって決定されたクロストーク補正量を基に、バックグラウンドのグレイレベルを上げることで、クロストークを低減する技術が記載されている。
【０００５】
【特許文献１】特開２００４−３１２７８０号公報
【発明の開示】
【発明が解決しようとする課題】
【０００６】
本発明は、例えば、２画面表示又は立体画像表示を行うことのできる視差バリア方式の画像表示装置などの電気光学装置において、クロストークを低減して表示品位を向上させることを課題とする。
【課題を解決するための手段】
【０００７】
本発明の１つの観点では、電気光学装置は、複数のデータ線、複数の走査線、前記複数のデータ線と前記複数の走査線の交点に設けられた画素電極、を有する表示パネルと、前記表示パネルの面上に配置され、互いに隣接する前記画素電極の間に対応してスリットが配置されている視差バリアと、前記複数のデータ線に供給するデータ信号及び前記複数の走査線に供給する走査信号を夫々制御することにより前記画素電極に印加される電位の大きさを制御して画像を表示する制御部と、を備え、前記制御部は、画像を表示する際、所定の画素電極に印加される電位が、前記所定の画素電極に前記走査線に沿って隣接する画素電極に印加される電位よりも所定量以上小さくなると判定した場合には、前記所定の画素電極に印加される電位に対し、所定の電圧を予め加算する補正を行い、前記所定の画素電極に印加される電位が、前記隣接する画素電極に印加される電位よりも所定量以上大きくなると判定した場合には、前記所定の画素電極に印加される電位に対し、所定の電圧を予め減算する補正を行う。
【０００８】
上記の電気光学装置は、２画面表示又は立体画像表示を行うことのできる視差バリア方式の画像表示装置であり、表示パネルと、視差バリアと、制御部とを備える。表示パネルは、例えば、液晶表示パネルであり、複数のデータ線、複数の走査線、前記複数のデータ線と前記複数の走査線の交点に設けられた画素電極、を有する。視差バリアは、互いに隣接する前記画素電極の間に対応してスリットが配置されている。制御部は、前記複数のデータ線に供給するデータ信号及び前記複数の走査線に供給する走査信号を夫々制御することにより前記画素電極に印加される電位の大きさを制御して画像を表示する。前記制御部は、画像を表示する際、所定の画素電極に印加される電位が、前記所定の画素電極に前記走査線に沿って隣接する画素電極に印加される電位よりも所定量以上小さくなると判定した場合には、前記所定の画素電極に印加される電位に対し、所定の電圧を予め加算する補正を行い、前記所定の画素電極に印加される電位が、前記隣接する画素電極に印加される電位よりも所定量以上大きくなると判定した場合には、前記所定の画素電極に印加される電位に対し、所定の電圧を予め減算する補正を行う。このようにすることで、電気光学装置は、２つの異なる画像を１つの画面上で表示する場合において、一方の画像に対する他方の画像を表示することによるクロストークの影響を低減することができる。
【０００９】
上記の電気光学装置の好適な実施例は、前記所定の電圧は、常に一定の電圧である。
【００１０】
本発明の他の観点では、上記の電気光学装置を表示部に備えることを特徴とする電子機器を構成することができる。
【００１１】
本発明の更なる他の観点では、複数のデータ線、複数の走査線、前記複数のデータ線と前記複数の走査線の交点に設けられた画素電極、を有する表示パネルと、前記表示パネルの面上に配置され、互いに隣接する前記画素電極の間に対応してスリットが配置されている視差バリアと、前記複数のデータ線に供給するデータ信号及び前記複数の走査線に供給する走査信号を夫々制御することにより前記画素電極に印加される電位の大きさを制御して画像を表示する制御部と、を備えた電気光学装置の駆動方法は、前記制御部は、画像を表示する際、所定の画素電極に印加される電位が、前記所定の画素電極に前記走査線に沿って隣接する画素電極に印加される電位よりも所定量以上小さくなると判定した場合には、前記所定の画素電極に印加される電位に対し、所定の電圧を予め加算する補正を行い、前記所定の画素電極に印加される電位が、前記隣接する画素電極に印加される電位よりも所定量以上大きくなると判定した場合には、前記所定の画素電極に印加される電位に対し、所定の電圧を予め減算する補正を行う。この方法によっても、一方の画像に対する他方の画像を表示することによるクロストークの影響を低減することができる。
【発明を実施するための最良の形態】
【００１２】
以下、本発明を具体化した実施形態を図面に基づいて説明する。
【００１３】
[画像表示装置]
図１は、本実施形態に係る画像表示装置１００の断面図である。本実施形態に係る画像表示装置１００は、視差バリア方式の画像表示装置であり、例えば、異なる観察位置に位置する複数の観察者に異なる画像を表示する２画面表示を行うことができる。本実施形態に係る画像表示装置１００は、装置構成としては、従来の視差バリア方式の画像表示装置と変わるところはない。
【００１４】
図１に示すように、本実施形態に係る画像表示装置１００は、主に、視差バリア９と、液晶表示パネル２０と、照明装置１０より構成される。
【００１５】
液晶表示パネル２０は、基板１、２がシール材３を介して貼り合わされてなる構造を有し、基板１、２の間には、液晶４が封入されてなる。基板１の内面上には、１ドットのサブ画素ＳＧａ、ＳＧｂ毎に画素電極５が形成されており、基板２の内面上には、カラーフィルタたるＲＧＢの各色の着色層６及び対向電極７が形成されている。ＲＧＢの各色の着色層６は、画素電極５に対応する位置に形成され、対向電極７は、基板２の全面に形成されている。
【００１６】
液晶表示パネル２０の背面側には、照明装置１０が設置される。照明装置１０は、液晶表示パネル２０に光を透過することにより照明する。なお、液晶表示パネル２０と照明装置１０の間には、下偏光板１２ｂが配置される。
【００１７】
液晶表示パネル２０の光の出射面側には、視差バリア９が配置される。視差バリア９は、所定の間隔でスリット９Ｓが設けられているパネルである。視差バリア９は、スリット９Ｓの設けられている部分のみが光を透過する透過領域として機能し、それ以外の部分は光を透過しない遮光領域として機能する。視差バリア９は、例えば、２枚の基板の間に液晶を挟持してなる構成を有し、当該液晶の配向を制御することで、スリット９Ｓとして機能する透過領域と、光を透過しない遮光領域とを形成する。スリット９Ｓは、液晶表示パネル２０における互いに隣接する着色層６又は画素電極５の間に対応して位置している。なお、視差バリア９の光の出射面側には、上偏光板１２ａが配置される。
【００１８】
照明装置１０より出射した光は、液晶表示パネル２０に入射し、着色層６を透過した後、液晶表示パネル２０より出射する。液晶表示パネル２０より出射した光は、スリット９Ｓを通して、異なる観察位置に位置する複数の観察者１１ａ、１１ｂに入射する。
【００１９】
図１に示す画像表示装置１００において、観察者１１ａに入射する光が透過するＲＧＢの着色層６を着色層Ｒｃａ、Ｇｃａ、Ｂｃａとして示し、観察者１１ｂに入射する光が透過するＲＧＢの着色層６を着色層Ｒｃｂ、Ｇｃｂ、Ｂｃｂとして示す。従って、各色の着色層Ｒｃａ、Ｇｃａ、Ｂｃａを有するサブ画素ＳＧａは、観察者１１ａに入射する光が透過する液晶表示パネル２０のＲＧＢの各色のサブ画素を夫々示し、各色の着色層Ｒｃｂ、Ｇｃｂ、Ｂｃｂを有するサブ画素ＳＧｂは、観察者１１ｂに入射する光が透過する液晶表示パネル２０のＲＧＢの各色のサブ画素を夫々示す。
【００２０】
例えば、破線で示すように、着色層Ｇｃａを透過した光は、着色層Ｇｃａ、Ｂｃｂの間に対応して位置しているスリット９Ｓを通過することにより、観察者１１ａに入射する。一方、着色層Ｂｃｂを透過した光は、当該スリット９Ｓを通過した後、観察者１１ｂに入射する。
【００２１】
次に液晶表示パネル２０の駆動回路の構成について述べる。図２は、本実施形態に係る画像表示装置１００における液晶表示パネル２０の平面図である。図１に示した画像表示装置１００における液晶表示パネル２０は、図２に示す液晶表示パネル２０の平面図の切断線Ａ−Ａ´に沿った断面図であり、駆動回路の図示を省略した図である。なお、図２では、紙面縦方向（列方向）をＹ方向と、また、紙面横方向（行方向）をＸ方向と規定する。
【００２２】
基板１の内面上には、複数の走査線２４、複数のデータ線２５がマトリクス状に配置されており、各走査線２４と各データ線２５の交点にはＴＦＴ素子（Thin film Diode）などのスイッチング素子２６が設けられている。画素電極５は、スイッチング素子２６と電気的に接続されている。
【００２３】
正確には、基板１は、Ｘ方向及びＹ方向に対し、基板２よりも外側に張り出してなる領域を有している。基板１のＸ方向に張り出してなる領域の内面上には、走査線駆動回路２１が配置され、基板１のＹ方向に張り出してなる領域の内面上には、データ線駆動回路２２が配置されている。
【００２４】
Ｓ１、Ｓ２、Ｓ３・・・、Ｓｎ（ｎ：自然数）で示す各データ線２５は、Ｙ方向に対し延在すると共に、Ｘ方向に対し一定の間隔で配置されている。各データ線２５の一端は、データ線駆動回路２２と電気的に接続されている。また、データ線駆動回路２２は、ＦＰＣ２３と配線３２を介して電気的に接続されている。ＦＰＣ２３は、外部の電子機器と電気的に接続されており、データ線駆動回路２２は、ＦＰＣ２３を介して、当該外部の電子機器の制御部４０からの制御信号を受信する。データ線駆動回路２２は、当該制御信号を基に、Ｓ１、Ｓ２、Ｓ３・・・、Ｓｎで示す各データ線２５に対し、データ信号を供給する。
【００２５】
Ｇ１、Ｇ２、Ｇ３・・・、Ｇｍ（ｍ：自然数）で示す各走査線２４は、Ｘ方向に対し延在すると共に、Ｙ方向に対し一定の間隔で配置されている。各走査線２４の一端は、走査線駆動回路２１と電気的に接続されている。また、走査線駆動回路２１は、配線３３と電気的に接続され、配線３３は、外部の電子機器と電気的に接続されている。走査線駆動回路２１は、配線３３を介して、当該外部の電子機器の制御部４０からの制御信号を受信する。走査線駆動回路２１は、当該制御信号を基に、Ｇ１、Ｇ２、Ｇ３・・・、Ｇｍで示す各走査線２４に対し、走査信号を順次供給する。
【００２６】
対向電極７は、ＣＯＭで示す配線３４を介して、データ線駆動回路２２と電気的に接続されている。データ線駆動回路２２は、外部の電子機器からの制御信号を基に、配線３４を介して駆動信号を供給することにより、対向電極７を駆動する。
【００２７】
走査線駆動回路２１は、制御部４０からの制御信号を基に、Ｇ１、Ｇ２、Ｇ３・・・、Ｇｍの順に走査線２４を順次排他的に選択すると共に、選択した走査線２４には、走査信号を供給する。そして、データ線駆動回路２２は、制御部４０からの制御信号を基に、選択された走査線２４に対応する位置に存在する画素電極５に対し、表示内容に応じたデータ信号を、各データ線２５を介して供給する。これにより、当該画素電極５に電位が印加され、当該画素電極５と対向電極７の間の液晶４の液晶分子の配向状態が、非表示状態または中間表示状態に切り替えられ、液晶表示パネル２０に所望の画像を表示することができる。即ち、制御部４０は、制御信号を走査線駆動回路２１、データ線駆動回路２２に供給することで、複数の走査線２４及び複数のデータ線２５に供給する走査信号及びデータ信号を制御することができ、所望の画像を液晶表示パネル２０に表示することができる。
【００２８】
サブ画素ＳＧａとサブ画素ＳＧｂは、Ｘ方向及びＹ方向について交互に設定される。従って、観察者１１ａに表示するための画像は、サブ画素ＳＧａにおける画素電極５と対向電極７の間の液晶４の液晶分子の配向状態が切り替えられることにより表示され、観察者１１ｂに表示するための画像は、サブ画素ＳＧｂにおける画素電極５と対向電極７の間の液晶４の液晶分子の配向状態が切り替えられることにより表示される。
【００２９】
（合成画像の構成）
次に、本実施形態に係る画像表示装置１００によって表示される合成画像について説明する。図３は、画像Ａと画像Ｂを合成した合成画像Ｃを作成するときの模式図である。ここで、画像Ａは、観察者１１ａに表示する画像を示し、画像Ｂは、観察者１１ｂに表示する画像を示す。合成画像Ｃは、画像Ａと画像Ｂを合成した画像であり、本実施形態に係る画像表示装置１００における液晶表示パネル２０の表示画面に表示される画像である。
【００３０】
画像Ａは、単位画像Ｒａ１１〜Ｂａ２６が組み合わさった画像である。ここで、単位画像とは、サブ画素単位で表示される画像のことを示す。単位画像における英字部Ｒａ、Ｇａ、Ｂａは、ＲＧＢの夫々のサブ画素ＳＧａに表示される画像であることを示す。即ち、英字部がＲａで示される単位画像は、Ｒの１つのサブ画素ＳＧａに表示される画像を示し、英字部がＧａで示される単位画像は、Ｇの１つのサブ画素ＳＧａに表示される画像を示し、英字部がＢａで示される単位画像は、Ｂの１つのサブ画素ＳＧａに表示される画像を示す。
【００３１】
画像Ｂは、単位画像Ｒｂ１１〜Ｂｂ２６が組み合わさった画像である。単位画像における英字部Ｒｂ、Ｇｂ、Ｂｂは、ＲＧＢの夫々のサブ画素ＳＧｂに表示される画像であることを示す。即ち、英字部がＲｂで示される単位画像は、Ｒの１つのサブ画素ＳＧｂに表示される画像を示し、英字部がＧｂで示される単位画像は、Ｇの１つのサブ画素ＳＧｂに表示される画像を示し、英字部がＢｂで示される単位画像は、Ｂの１つのサブ画素ＳＧｂに表示される画像を示す。
【００３２】
制御部４０は、画像Ａと画像Ｂより合成画像Ｃを作成する際、画像Ａの単位画像と画像Ｂの単位画像を、サブ画素ＳＧａとサブ画素ＳＧｂの夫々に対応するように合成する。即ち、先に述べたように、サブ画素ＳＧａとサブ画素ＳＧｂは、液晶表示パネル２０上でＸ方向及びＹ方向について交互に設定されるので、制御部４０は、図３に示すように、画像Ａの単位画像と画像Ｂの単位画像をサブ画素ＳＧａとサブ画素ＳＧｂに対応して交互に合成する。
【００３３】
具体的には、制御部４０は、画像Ａと画像Ｂより合成画像Ｃを作成する際、画像Ａ、Ｂの夫々の複数の所定の行の単位画像を、合成画像Ｃを構成する単位画像として用いる。図３に示す例では、画像Ａの単位画像Ｒａ１１〜Ｂａ１６、画像Ｂの単位画像Ｒｂ１１〜Ｂｂ１６が合成画像Ｃを構成する単位画像として用いられるとする。画像Ａ、Ｂの当該複数の所定の行以外の行にある単位画像は、合成画像Ｃを構成する単位画像としては用いられない。図３に示す例では、画像Ａの単位画像Ｒａ２１〜Ｂａ２６、画像Ｂの単位画像Ｒｂ２１〜Ｂｂ２６は、合成画像Ｃを構成する単位画像としては用いられないとする。
【００３４】
制御部４０は、図３に示す合成画像Ｃより分かるように、画像Ａの単位画像Ｒａ１１〜Ｂａ１６、画像Ｂの単位画像Ｒｂ１１〜Ｂｂ１６をサブ画素ＳＧａとサブ画素ＳＧｂに対応して交互に配置することにより、合成画像Ｃを合成する。
【００３５】
制御部４０は、このようにして合成された合成画像Ｃにおける各単位画像の階調値を基に各サブ画素ＳＧａ、ＳＧｂの画素電極５に印加する電位を決定し、制御信号として走査線駆動回路２１及びデータ線駆動回路２２に供給する。
【００３６】
このようにして、図３に示す合成画像Ｃが画像表示装置１００の液晶表示パネル２０に表示される。図３に示す合成画像Ｃ上には、視差バリア９のスリット９Ｓの位置も破線で示す。観察者１１ａは、合成画像Ｃを、スリット９Ｓを通して見た場合には、単位画像Ｒａ１１、Ｇａ１２、Ｂａ１３、Ｒａ１４、Ｇａ１５、Ｂａ１６のみを見ることができ、画像Ａを認識することができる。一方、観察者１１ｂは、合成画像Ｃを、スリット９Ｓを通して見た場合には、スリット９Ｓを通して、単位画像Ｒｂ１１、Ｇｂ１２、Ｂｂ１３、Ｒｂ１４、Ｇｂ１５、Ｂｂ１６のみを見ることができ、画像Ｂを認識することができる。
【００３７】
（クロストークの発生）
図４は、画像表示装置１００の駆動回路の一部を示す回路図である。具体的には、図４は、図２における破線Ｐ＿ａｒｅａで囲まれる部分の駆動回路を示す。図４において、サブ画素ＳＧ１、ＳＧ３は、サブ画素ＳＧａのサブ画素であり、サブ画素ＳＧ２は、サブ画素ＳＧｂのサブ画素である。
【００３８】
先にも述べたように、走査線駆動回路２１は、制御部４０からの制御信号を基に、Ｇ１、Ｇ２、Ｇ３・・・、Ｇｍの順に走査線２４を順次排他的に選択すると共に、選択した走査線２４には、走査信号を供給する。そして、データ線駆動回路２２は、制御部４０からの制御信号を基に、選択された走査線２４に対応する位置に存在する画素電極５に対し、表示内容に応じたデータ信号を、各データ線２５を介して供給する。
【００３９】
このとき、所定のサブ画素における画素電極５の電位が、走査信号の流れる方向に沿って隣接する画素電極５の電位によって変動するという現象が生じる。
【００４０】
具体的には、例えば、図４において、サブ画素ＳＧ１の画素電極５に印加された電位が、サブ画素ＳＧ２の画素電極５に印加された電位よりも小さい場合、サブ画素ＳＧ１の画素電極５に印加された電位は低下する。また、サブ画素ＳＧ１の画素電極５に印加された電位が、サブ画素ＳＧ２の画素電極５に印加された電位よりも大きい場合、サブ画素ＳＧ１の画素電極５に印加された電位は上昇する。
【００４１】
また、図４において、サブ画素ＳＧ２の画素電極５に印加された電位が、サブ画素ＳＧ３の画素電極５に印加された電位よりも小さい場合、サブ画素ＳＧ２の画素電極５に印加された電位は低下する。また、サブ画素ＳＧ２の画素電極５に印加された電位が、サブ画素ＳＧ３の画素電極５に印加された電位よりも大きい場合、サブ画素ＳＧ２の画素電極５に印加された電位は上昇する。
【００４２】
このように、画像表示装置１００では、所定のサブ画素における画素電極５の電位が、走査信号の流れる方向に沿って隣接する画素電極５の電位によって変動するため、観察位置の異なる観察者に対し夫々、異なる画像を提供する場合、即ち、一方の観察者に対しては、一方の画像のみを表示し、他方の観察者に対しては、他方の画像のみを表示する場合において、一方の観察者は、表示された一方の画像の中に他方の画像も見えてしまい、他方の観察者は、表示された他方の画像の中に一方の画像も見えてしまうというクロストークが発生する。
【００４３】
上記のクロストークの発生による画像表示への影響について、図５を参照しつつ述べる。図５は、先に述べた合成画像Ｃの拡大図である。図５において、合成画像Ｃの単位画像Ｒａ１１〜Ｂａ１６、Ｒｂ１１〜Ｂｂ１６の夫々の画像を表示する際における、サブ画素ＳＧａ、ＳＧｂの画素電極５に印加される電位をＶａ１１〜Ｖａ１６、Ｖｂ１１〜Ｖｂ１６として夫々示す。以下の示す例では、画像Ａは一面にグレイ表示がされたものであり、画像Ｂは一面に赤色表示がされたものであるとしたときの合成画像Ｃにおけるクロストークの発生による影響について述べる。なお、ここで、液晶表示パネル２０は、ノーマリーホワイト方式の液晶表示パネルであるとする。
【００４４】
画像Ａは、一面にグレイ表示されるので、ＲＧＢの単位画像の階調値は、全て同じ値に設定される。そこで、図５に示す例では、画像Ａを構成する単位画像Ｒａ１１、Ｇａ１２、Ｂａ１３、Ｒａ１４、Ｇａ１５、Ｂａ１６が表示される際、各サブ画素ＳＧａの画素電極５に印加される電位Ｖａ１１、Ｖａ１２、Ｖａ１３、Ｖａ１４、Ｖａ１５、Ｖａ１６は、全て同じ電位Ｖに設定されるとする。
【００４５】
画像Ｂは、一面に赤色表示されるので、Ｒの単位画像の階調値は、ＧＢの単位画像の階調値よりも大きく設定される。そこで、図５に示す例では、画像Ｂを構成する単位画像のうち、単位画像Ｒｂ１１、Ｒｂ１４が表示される際、各サブ画素ＳＧｂの画素電極５に印加される電位Ｖｂ１１、Ｖｂ１４は、電位Ｖよりも低く設定され、単位画像Ｇｂ１２、Ｂｂ１３、Ｇｂ１５、Ｂｂ１６が表示される際、各サブ画素ＳＧｂの画素電極５に印加される電位Ｖｂ１２、Ｖｂ１３、Ｖｂ１５、Ｖｂ１６は、電位Ｖよりも高く設定されるとする。
【００４６】
クロストークの発生を考慮しない場合には、上述のように電位Ｖａ１１〜Ｖａ１６を設定することにより、観察者１１ａは、グレイ表示された画像Ａを認識することができ、電位Ｖｂ１１〜Ｖｂ１６を設定することにより、観察者１１ｂは、赤色表示された画像Ｂを認識することができる。
【００４７】
しかしながら、先に述べたクロストークの発生を考慮すると、画像Ａの単位画像を表示するサブ画素ＳＧａの画素電極５の電位は、走査信号の流れる方向に沿って隣接する画像Ｂの単位画像を表示するサブ画素ＳＧｂの画素電極５の電位によって変動する。また、画像Ｂの単位画像を表示するサブ画素ＳＧｂの画素電極５の電位は、走査信号の流れる方向に沿って隣接する画像Ａの単位画像を表示するサブ画素ＳＧａの画素電極５の電位によって変動する。そのため、画像Ａは、画像Ｂを表示することによるクロストークの影響を受け、画像Ｂは、画像Ａを表示することによるクロストークの影響を受けることとなる。
【００４８】
例として、画像Ｂを表示することによる画像Ａへのクロストークの発生による影響について、図６を参照しつつ説明する。図６は、図５と同じ合成画像Ｃの拡大図であるが、図５と異なり、画像Ｂのクロストークの発生による影響により変動した画像Ａの各単位画像を表示するサブ画素ＳＧａの画素電極５の変動後の電位を破線で囲んで示している。
【００４９】
画像Ｂによるクロストークの発生を考慮しない場合、先にも述べたように、画像Ａがグレイ表示される場合には、電位Ｖａ１１、Ｖａ１２、Ｖａ１３、Ｖａ１４、Ｖａ１５、Ｖａ１６は、図５に示したように、全て同じ電位Ｖに設定される。
【００５０】
しかし、図５において、単位画像Ｒａ１１を表示するサブ画素ＳＧａの画素電極５の電位Ｖａ１１（＝Ｖ）は、隣接する単位画像Ｇｂ１２を表示するサブ画素ＳＧｂの画素電極５の電位Ｖｂ１２（＞Ｖ）よりも低いため、図６に示すように、電位Ｖａ１１は、実際の表示時には、電位Ｖｂ１２の影響により低下して、電位Ｖよりも小さくなる。
【００５１】
図５において、単位画像Ｇａ１２を表示するサブ画素ＳＧａの画素電極５の電位Ｖａ１２（＝Ｖ）は、隣接する単位画像Ｂｂ１３を表示するサブ画素ＳＧｂの画素電極５の電位Ｖｂ１３（＞Ｖ）よりも低いため、図６に示すように、電位Ｖａ１２は、実際の表示時には、電位Ｖｂ１３の影響により低下して、電位Ｖよりも小さくなる。
【００５２】
図５において、単位画像Ｂａ１３を表示するサブ画素ＳＧａの画素電極５の電位Ｖａ１３（＝Ｖ）は、隣接する単位画像Ｒｂ１４を表示するサブ画素ＳＧｂの画素電極５の電位Ｖｂ１４（＜Ｖ）よりも高いため、図６に示すように、電位Ｖａ１３は、実際の表示時には、電位Ｖｂ１４の影響により上昇して、電位Ｖよりも大きくなる。
【００５３】
同様にして、夫々隣接するサブ画素ＳＧｂの影響により、実際の表示時には、単位画像Ｒａ１４を表示するサブ画素ＳＧａの画素電極５の電位Ｖａ１４は低下して電位Ｖよりも小さくなり、単位画像Ｇａ１５を表示するサブ画素ＳＧａの画素電極５の電位Ｖａ１５は低下して電位Ｖよりも小さくなり、単位画像Ｂａ１６を表示するサブ画素ＳＧａの画素電極５の電位Ｖａ１６は上昇し、電位Ｖよりも大きくなる。
【００５４】
つまり、画像Ａは、実際の表示時には、ＲＧの画素電極の電位が低下し、Ｂの画素電極の電位が上昇する。従って、画像Ａは、ノーマリーホワイト方式の液晶表示パネル２０では、実際の表示時には、画像Ｂによるクロストークにより、ＲＧの階調値が高く、Ｂの階調値が低くなる。そのため、グレイ表示するはずだった画像Ａは、画像Ｂを表示することによるクロストークの発生による影響により、黄色表示されることとなる。
【００５５】
画像Ａを表示することによる画像Ｂへのクロストークの発生による影響についても、上述したしたのと同様に考えることができる。
【００５６】
図５において、単位画像Ｒｂ１１を表示するサブ画素ＳＧｂの画素電極５の電位Ｖｂ１１（＜Ｖ）は、隣接する単位画像Ｇａ１２を表示するサブ画素ＳＧａの画素電極５の電位Ｖａ１２（＝Ｖ）よりも低いため、実際の表示時には、電位Ｖｂ１１は、電位Ｖａ１２の影響により低下する。
【００５７】
図５において、単位画像Ｇｂ１２を表示するサブ画素ＳＧｂの画素電極５の電位Ｖｂ１２（＞Ｖ）は、隣接する単位画像Ｂａ１３を表示するサブ画素ＳＧｂの画素電極５の電位Ｖａ１３（＝Ｖ）よりも高いため、実際の表示時には、電位Ｖｂ１２は、電位Ｖａ１３の影響により上昇する。
【００５８】
図５において、単位画像Ｂｂ１３を表示するサブ画素ＳＧｂの画素電極５の電位Ｖｂ１３（＞Ｖ）は、隣接する単位画像Ｒａ１４を表示するサブ画素ＳＧａの画素電極５の電位Ｖａ１４（＝Ｖ）よりも高いため、実際の表示時には、電位Ｖｂ１３は、電位Ｖａ１４の影響により上昇する。
【００５９】
同様にして、夫々隣接するサブ画素ＳＧａの影響により、実際の表示時には、単位画像Ｒｂ１４を表示するサブ画素ＳＧｂの画素電極５の電位Ｖｂ１４は低下し、単位画像Ｇｂ１５を表示するサブ画素ＳＧｂの画素電極５の電位Ｖｂ１５は上昇し、単位画像Ｂｂ１６を表示するサブ画素ＳＧｂの画素電極５の電位Ｖｂ１６は上昇する。
【００６０】
つまり、画像Ｂは、ノーマリーホワイト方式の液晶表示パネル２０において、実際の表示時には、画像Ａによるクロストークにより、Ｒの階調値はより高くなり、ＢＧの階調値はより低くなる。そのため、赤色表示されていた画像Ｂは、画像Ａを表示することによるクロストークの発生による影響により、赤色がより強調されて表示されることとなる。
【００６１】
（クロストークの補正）
そこで、本実施形態に係る画像表示装置１００では、制御部４０は、上述したクロストークの発生による影響を抑えるために、所定の画素電極に印加される電位を、当該所定の画素電極に対して走査線に沿って隣接する画素電極に印加される電位を基に、所定の電圧で予め補正しておくこととする。本実施形態に係る画像表示装置１００のクロストーク補正の具体的な駆動方法について、図７に示すフローチャートを用いて述べる。
【００６２】
まず、制御部４０は、合成される合成画像Ｃのうち、一方の画像、例えば画像Ａについてクロストーク補正を行う。制御部４０は、画像Ａにおける所定の単位画像を表示するための画素電極５の電位が、画像Ｂの単位画像を表示するための隣接する画素電極５の電位よりも所定量以上大きくなるか否かについて判定を行う（ステップＳ１１）。
【００６３】
詳しくは、制御部４０は、まず、画像Ａの所定の単位画像の階調値を基に、当該所定の単位画像を表示するためのサブ画素ＳＧａの画素電極５に印加される電位を求める。次に、制御部４０は、当該所定の単位画像に隣接する画像Ｂの単位画像の階調値を基に、当該隣接する画像Ｂの単位画像を表示するためのサブ画素ＳＧｂの画素電極５に印加される電位を求める。そして、制御部４０は、画像Ａの所定の単位画像を表示するためのサブ画素ＳＧａの画素電極５に印加される電位が、隣接する画像Ｂの単位画像を表示するためのサブ画素ＳＧｂの画素電極５に印加される電位よりも所定量以上大きくなるか否かについて判定を行う。
【００６４】
制御部４０は、画像Ａの所定の単位画像を表示するための画素電極５の電位が隣接する画像Ｂの単位画像を表示するための画素電極５の電位よりも所定量以上大きくなると判定した場合には（ステップＳ１１：Ｙｅｓ）、クロストーク補正として、当該所定の単位画像を表示するための画素電極５の電位に対し、一定の電圧の値を減算する補正を行い（ステップＳ１２）、ステップＳ１５に進む。
【００６５】
制御部４０は、ステップ１１において、画像Ａの所定の単位画像を表示するための画素電極５の電位が、画像Ｂの単位画像を表示するための隣接する画素電極５の電位よりも所定量以上大きくならないと判定した場合には（ステップＳ１１：Ｎｏ）、今度は、画像Ａの所定の単位画像を表示するための画素電極５の電位が、画像Ｂの単位画像を表示するための隣接する画素電極５よりも所定量以上小さくなるか否かについて判定を行う（ステップＳ１３）。
【００６６】
制御部４０は、ステップＳ１３において、画像Ａの所定の単位画像を表示するための画素電極５の電位が、画像Ｂの単位画像を表示するための隣接する画素電極５の電位よりも所定量以上小さくならないと判定した場合、即ち、当該所定の単位画像を表示するための画素電極５の電位が隣接する画像Ｂの単位画像を表示するための隣接する画素電極５の電位と略等しくなる、即ち、画像Ａの所定の単位画像を表示するための画素電極５の電位と、隣接する画像Ｂの単位画像を表示するための画素電極５の電位との差が、クロストークの影響を無視することができるくらい小さくなると判定した場合には、ステップＳ１５に進む（ステップＳ１３：Ｎｏ）。
【００６７】
制御部４０は、ステップＳ１３において、画像Ａの所定の単位画像を表示するための画素電極５の電位が、画像Ｂの単位画像を表示するための隣接する画素電極５の電位よりも所定量以上小さくなると判定した場合には（ステップＳ１３：Ｙｅｓ）、クロストーク補正として、当該所定の単位画像を表示するための画素電極５の電位に対し、一定の電圧の値を加算する補正を行い（ステップＳ１４）、ステップＳ１５に進む。制御部４０は、上述のステップＳ１１〜ステップＳ１５までの操作を画像Ａの全ての単位画像について行う。
【００６８】
このようにして、画像Ａの全ての単位画像についてクロストーク補正が行われた後の電位を図８の合成画像Ｃの拡大図にて示す。図８において、電圧Ｖｃはクロストーク補正されるときに画素電極５の電位に加算若しくは減算される一定の電圧を示す。
【００６９】
図６で述べたように、電位Ｖａ１１は、実際の表示時には、電位Ｖｂ１２の影響により低下して、電位Ｖよりも小さくなるので、制御部４０は、図８に示すように、電位Ｖａ１１に対し、電圧Ｖｃを予め加算しておく。電位Ｖａ１２は、実際の表示時には、電位Ｖｂ１３の影響により低下して、電位Ｖよりも小さくなるので、制御部４０は、図８に示すように、電位Ｖａ１２に対し、電圧Ｖｃを予め加算しておく。電位Ｖａ１３は、実際の表示時には、電位Ｖｂ１４の影響により上昇して、電位Ｖよりも大きくなるので、制御部４０は、図８に示すように、電位Ｖａ１３に対し、電圧Ｖｃを予め減算しておく。
【００７０】
また、夫々隣接するサブ画素ＳＧｂの画素電極５の影響により、実際の表示時には、電位Ｖａ１４は低下して電位Ｖよりも小さくなり、電位Ｖａ１５は低下して電位Ｖよりも小さくなり、電位Ｖａ１６は上昇して電位Ｖよりも大きくなる。従って、制御部４０は、電位Ｖａ１４に対し、電圧Ｖｃを予め加算しておき、電位Ｖａ１５に対し、電圧Ｖｃを予め加算しておき、電位Ｖａ１６に対し、電圧Ｖｃを予め減算しておく。
【００７１】
制御部４０は、画像Ａについて予めクロストーク補正を行うことで、実際の表示時に、クロストークの影響により低下するＲＧの画素電極の電位を上昇させ、クロストークの影響により上昇するＢの画素電極の電位を低下させることができる。これにより、制御部４０は、画像Ａについて、実際の表示時には、電位Ｖａ１１〜１６までの電位をＶに近づけることができ、グレイ表示を行うことができる。
【００７２】
図７のフローチャートに戻り、制御部４０は、ステップ１５において、画像Ａ及び画像Ｂの両方の全ての単位画像についてクロストーク補正がされたか否かを判定、即ち、上述したクロストーク補正が、画像Ｂについても行われたか否かを判定し、画像Ｂの単位画像についてクロストーク補正がされていないと判定した場合には（ステップＳ１５：Ｎｏ）、ステップＳ１１に戻り、画像Ｂの単位画像についてステップＳ１１からステップＳ１４までの所定を繰り返す。
【００７３】
制御部４０は、ステップ１５において、画像Ａ及び画像Ｂの両方の単位画像についてクロストーク補正がされたと判定した場合には（ステップＳ１５：Ｙｅｓ）、単位画像の画素電極の電位について夫々クロストーク補正がされた画像Ａ及び画像Ｂを合成した合成画像Ｃの制御信号を液晶表示パネル２０の走査線駆動回路２１及びデータ線駆動回路２２に供給して合成画像Ｃを液晶表示パネル２０に表示した後（ステップＳ１６）、処理を終了する。
【００７４】
以上述べたように、制御部４０は、画像を表示する際、所定の画素電極に印加される電位が、当該所定の画素電極に走査線に沿って隣接する画素電極に印加される電位よりも所定量以上小さくなると判定した場合には、当該所定の画素電極に印加される電位に対し、一定の電圧を予め加算する補正を行い、所定の画素電極に印加される電位が、隣接する画素電極に印加される電位よりも所定量以上大きくなると判定した場合には、所定の画素電極に印加される電位に対し、一定の電圧を予め減算する補正を行う。このようにすることで、本実施形態に係る画面表示装置１００は、クロストークを低減して表示品位を向上させることができる。
【００７５】
[変形例]
上述の各実施形態に係る画像表示装置は、２画面表示を行うとしているが、これに限られるものではなく、代わりに立体画像表示を行うときにも本発明を適用できるのは言うまでもない。この場合、右目用の画像の単位画像を表示するための画素電極の電位が、隣接する左目用の画像の単位画像を表示するための画素電極の電位によるクロストークの影響を受け、左目用の画像の単位画像を表示するための画素電極の電位が、隣接する右目用の画像の単位画像を表示するための画素電極の電位によるクロストークの影響を受けることとなる。しかし、上述したような方法を用いることで、画像表示装置は、左右の目に夫々入る画像の間に生じるクロストークを低減することができる。
【００７６】
[電子機器]
次に、上述した各実施形態に係る画像表示装置１００を適用可能な電子機器の具体例について図９を参照して説明する。
【００７７】
まず、各実施形態に係る画像表示装置１００を、可搬型のパーソナルコンピュータ（いわゆるノート型パソコン）の表示部に適用した例について説明する。図１５は、このパーソナルコンピュータの構成を示す斜視図である。同図に示すように、パーソナルコンピュータ７１０は、キーボード７１１を備えた本体部７１２と、本発明に係る液晶表示装置１００等を適用した表示部７１３とを備えている。
【００７８】
また、各実施形態に係る画像表示装置１００は、液晶テレビや、カーナビゲーション装置の表示部に適用されるのが特に好適である。例えば、カーナビゲーション装置の表示部に本実施形態に係る画像表示装置１００を用いることにより、運転席にいる観察者に対しては、地図の画像を表示し、助手席にいる観察者に対しては、映画などの映像を表示することができる。
【００７９】
なお、各実施形態に係る画像表示装置１００等を適用可能な電子機器としては、上述したものの他にも、ビューファインダ型・モニタ直視型のビデオテープレコーダ、ページャ、電子手帳、電卓、携帯電話、ワードプロセッサ、ワークステーション、テレビ電話、ＰＯＳ端末、ディジタルスチルカメラなどが挙げられる。
【図面の簡単な説明】
【００８０】
【図１】本実施形態に係る画像表示装置の断面図である。
【図２】本実施形態に係る画像表示装置における液晶表示パネルの平面図である。
【図３】２つの画像から合成画像を作成するときの模式図である。
【図４】本実施形態に係る画像表示装置の駆動回路の一部を示す回路図である。
【図５】クロストークの影響を考慮しないときの合成画像の拡大図である。
【図６】クロストークの影響を考慮したときの合成画像の拡大図である。
【図７】本実施形態に係る画像表示装置の駆動方法を示すフローチャートである。
【図８】クロストーク補正がされたときの合成画像の拡大図である。
【図９】本発明の画像表示装置を適用した電子機器の例である。
【符号の説明】
【００８１】
５  画素電極、  ７  対向電極、  ９  視差バリア、  １０  照明装置、  １１ａ、１１ｂ  観察者、  ２１  走査線駆動回路、  ２２  データ線駆動回路、  ２３  ＦＰＣ、  ２４  走査線、  ２５  データ線、  ２６  スイッチング素子、  ２０  液晶表示パネル、  ４０  制御部、  １００  画像表示装置
【図１】
2007316460.tif 000003
【図２】
2007316460.tif 000004
【図３】
2007316460.tif 000005
【図４】
2007316460.tif 000006
【図５】
2007316460.tif 000007
【図６】
2007316460.tif 000008
【図７】
2007316460.tif 000009
【図８】
2007316460.tif 000010
【図９】
2007316460.tif 000011